(57)【要約】【課題】中間パネルを単独に交換可能としながら、ファスナの構造を簡易化して作業性を改善したパネルの取り付け構造を実現する。【解決手段】パネル３上辺の縁金物３１ｂの上面に落下溝３６を設け、帯状のスライド支持材３３を収納して上昇位置で固定し、パネル３下辺の縁金物３１ａの下面に嵌合溝３７を設け、パネル３上辺の縁金物３１ｂの上フランジをファスナ１の水平部材１２に載せてパネル３をファスナ１に支持させるとともに、スライド支持材３３を嵌合溝３７に嵌合させて上下のパネル３、３をかみ合わせる。【選択図】　　　　図４
2004003128.tif 000002
【特許請求の範囲】
【請求項１】
建物のコンクリートの壁面（Ｃ）にファスナ（１）を介して四辺形状のパネル（３）を取り付ける建物外装用パネルの取り付け構造において、パネル（３）の上辺の上縁金物（３１ｂ）の上側フランジに長孔のボルト孔（３１１）を設けるとともに、この上縁金物（３１ｂ）上面に上向きに開口する落下溝（３６）を設け、この落下溝（３６）の中に帯状のスライド支持材（３３）を昇降可能に収納して上昇位置で固定し、パネル（３）の下辺の下縁金物（３１ａ）下面には下向きに開口する嵌合溝（３７）を形成し、壁面（Ｃ）と直角方向に突出し、長孔のボルト孔（１２１）を設けた水平部材（１２）を有するファスナ（１）を壁面に取り付け、この水平部材（１２）に前記上縁金物（３１ｂ）の上側フランジを載せてパネル（３）を支持させ、前記上側フランジのボルト孔（３１１）と前記水平部材のボルト孔（１２１）とに取り付けボルト（５）を挿通する一方、前記スライド支持材（３３）を前記嵌合溝（３７）に嵌合させて前記パネル（３）の上にその上側のパネル（３）を載置することにより上下のパネル（３、３）をかみ合わせ、前記取り付けボルト（５）を長孔（１２１）に沿って移動させることで上下のパネル（３、３）の出入りを調整可能としたことを特徴とする建物外装用パネルの取り付け構造。
【発明の詳細な説明】
【０００１】
【発明の属する技術分野】
本発明は、鉄筋コンクリート造のビルの外装やリフォーム等において使用する建物外装用パネル（以下単に「パネル」ともいう）の取り付け構造に関する。
【０００２】
【従来の技術】
鉄筋コンクリート造の新築ビルの外装用として、あるいはタイルの剥離した中古ビルのリフォーム用として、コンクリート壁の表面に若干の隙間を設けて軽金属と樹脂を積層した外装用パネルを取り付けることが行われている。このようなパネルを取り付けることにより建物のファサードに近代感覚を与えることができるとともに、新築ビルの場合にはコンクリート部分の仕上げ塗りを省略できる利点がある。またコンクリート表面に多少の凹凸があっても、パネルの出入りを揃えることによって壁面を平面にすることができる。このようなパネルの材質としては、不燃性であること、着色が比較的自由にできること、また特に既設の建物に取り付ける場合などに重量増加を最小限とするため軽量であること、などの理由からアルミニウム合金の薄板の裏側に樹脂を積層した複合パネルがよく使用される。
【０００３】
このようなパネルのコンクリート壁面への取り付け構造の従来例を図面によって説明する。
なお特に図示しないが、まず最下段のパネルをファスナを介して壁面に取り付け、つぎにその上段のパネルの下縁を最下段のパネルの上縁に重ねて取り付け、順次下から上へ重ねながら取り付けて行く方法は従来一般に行われていたが、施工途中のトラブルその他で中間の段のパネルを交換しなければならなくなった場合、そこから上のパネルを一旦すべて外さなければならないという問題があり、最近では各段のパネルを独立に壁面に取り付けるやり方が採用される傾向にある。
【０００４】
以下説明するのはそのような取り付け構造の例である。図７は建物の壁面の一部を示す斜視図で、Ｃはコンクリートの壁面、２は壁面Ｃに取り付けられたファスナ、３はファスナ２を介して壁面に取り付けられた四辺形状のパネルである。この例では、やや横長の四辺形状のパネル３の上辺と下辺が、壁面Ｃに水平線上に所定の間隔で取り付けられたファスナ２に係止されて壁面に取り付けられている。パネル３の寸法は例えば幅２０００ｍｍ×高さ９００ｍｍである。
【０００５】
図８は隣接する上下パネル３、３の取り付け部分を示す壁面の縦断面図、図９は同じく隣接する左右パネル３、３の取り付け部分を示す壁面の水平断面図で、３１ａはパネル３の下辺に沿って取り付けられている下縁金物、３１ｂは同じくパネル３の上辺に沿って取り付けられている上縁金物、３１ｃ、３１ｄは同じくパネル３の両脇に縦向きに取り付けられている縦縁金物、３２ａは下縁金物３１ａから下向きに突出して取り付けられている下部ピン、３２ｂは上縁金物３１ｂから上向きに突出して取り付けられている上部ピン、３５は隣接するパネル間の隙間に取り付けられるリップ状のシールゴム、２１はファスナの主要部材であるチャンネル、２２はチャンネル２１の下フランジに重ねてボルトで締めつけられる下スライドプレート、２３は同じくチャンネル２１の上フランジに重ねてボルトで締めつけられる上スライドプレート、４はコンクリートの壁面に打ち込まれたアンカーボルトである。
【０００６】
すなわち、パネル３の裏面の下辺の下縁金物３１ａからは下向きに下部ピン３２ａが、またパネル３の裏面の上辺の上縁金物３１ｂからは上向きに上部ピン３２ｂがいずれも縦方向に突出しており、パネル３は、コの字断面のファスナ２の上フランジに対して下部ピン３２ａを、また下フランジに対して上部ピン３２ｂを係止させて壁面Ｃに取り付けられる。
【０００７】
図１０はファスナ２を分解して示す斜視図、図１１は組み立てた状態を示す斜視図で、２１１はチャンネル２１のウエブ中央に設けられ、壁面Ｃに打ち込まれたアンカーボルト４に挿通されるアンカー孔、２１２はチャンネル２１の下フランジに設けられたボルト用長孔、２１３はチャンネル２１の上フランジに設けられたボルト孔、２２１は下スライドプレート２２に形成されたＬ字型の切欠き、２２２は下スライドプレート２２に形成されたボルト孔、２３１は上スライドプレート２３に形成された長孔、２３２は上スライドプレート２３に形成されたボルト孔である。
【０００８】
図１１に示すように、このファスナ２は、チャンネル２１の下フランジに下スライドプレート２２を重ね、同じくチャンネル２１の上フランジに上スライドプレート２３を重ね、それぞれボルトで締めつけてなる。下スライドプレート２２、上スライドプレート２３のボルト孔２２２、２３２はいずれも壁面に対する距離方向の長孔となっており、壁面に対して下スライドプレート２２、上スライドプレート２３を出入りさせることによりパネル表面の凹凸を調整できる。
【０００９】
パネルの取り付け作業を図１２により説明する。（ａ）の矢印に示すように、まず上スライドプレート２３の長孔２３１に上側パネルの下部ピン３２ａを差し込み、ついでパネルを垂直に起こし、（ｂ）の矢印に示すように下スライドプレート２２の切欠き２２１の開口部分に下側パネルの上部ピン３２ｂを差し込み、下スライドプレート２２を横方向にスライドさせて係止する。この図に示すように上部ピン３２ｂをボルト構造とし、ナットを締めつけて固定してもよい。
【００１０】
上下、左右のパネル間の隙間は、パネルの周囲に取り付けられたリップ状のシールゴムの先端部を重ね合わせてふさいでいる。
【００１１】
【発明が解決しようとする課題】
このような従来のパネルのコンクリート壁面への取り付け構造には、つぎのような問題点がある。
１）パネル表面の出入り調整は前記のボルト孔２２２、２３２の長孔の範囲、例えば±５ｍｍ程度であれば可能であるが、現実のコンクリート表面の凹凸は例えば５階建てのビルの場合、数十ｍｍに達することも珍しくない。この場合、ボルト孔では調整しきれないので、フランジの突き出し長さを変えたチャンネルを何種類か用意しておき、調整代に応じて寸法の異なるチャンネルを使用することが必要である。
【００１２】
また、壁面の配管その他の理由により、パネル貼り厚、すなわち本来のコンクリート壁面から新しいパネル表面までの距離を大きく取ろうとすると、全体的に大型のチャンネルを使用する必要がある。
ファスナは、風雨にさらされ、かつビルの外装に直接係わるものであるから錆の発生は禁物であり、一般にステンレス材が使用される。しかし、ステンレス材は普通鋼に比較して硬く、孔明けや打ち抜き等のプレス作業における抵抗が大きいので、サイズが大きくなるとプレス加工が困難である。
２）１つのファスナがチャンネルと２枚のスライドプレート、４本のボルト等、多数の部品で構成され、高価である。
３）上側パネルの下部と、下側パネルの上部との出入り調整を、１つのファスナについて上下のスライドプレートでそれぞれ別個に行わなければならない。
【００１３】
本発明は、このような問題点を解消し、作業が容易で構造の簡単なパネルのコンクリート壁面への取り付け構造を実現することを目的とする。
【００１４】
【課題を解決するための手段】
本発明は、建物のコンクリートの壁面にファスナを介して四辺形状のパネルを取り付ける建物外装用パネルの取り付け構造において、パネルの上辺の上縁金物の上側フランジに長孔のボルト孔を設けるとともに、この上縁金物上面に上向きに開口する落下溝を設け、この落下溝の中に帯状のスライド支持材を昇降可能に収納して上昇位置で固定し、パネルの下辺の下縁金物下面には下向きに開口する嵌合溝を形成し、壁面と直角方向に突出し、長孔のボルト孔を設けた水平部材を有するファスナを壁面に取り付け、この水平部材に前記上縁金物の上側フランジを載せてパネルを支持させ、前記上側フランジのボルト孔と前記水平部材のボルト孔とに取り付けボルトを挿通する一方、前記スライド支持材を前記嵌合溝に嵌合させて前記パネルの上にその上側のパネルを載置することにより上下のパネルをかみ合わせ、前記取り付けボルトを長孔に沿って移動させることで上下のパネルの出入りを調整可能としたことを特徴とする建物外装用パネルの取り付け構造である。
【００１５】
【発明の実施の形態】
本発明の実施例を図面により説明する。図１は実施例における隣接する上下パネル３、３の取り付け部分を示す壁面の縦断面図、図２は同じく隣接する左右パネル３、３の取り付け部分を示す壁面の水平断面図で、これまでの説明に共通するものについては同一符号を使用する他、１は本発明におけるファスナ、１１はその縦向き部材、１２は同じく水平部材、５はパネル３のファスナ１への取り付けボルト、３３はパネル３の上縁金物３１ｂ上面に形成された上向きに開口する落下溝３６内に収納され、昇降自在の帯状のスライド支持材、３４はこのスライド支持材３３を上昇位置で固定する止めねじ、３７は３３はパネル３の下縁金物３１ａ下面に形成された下向きに開口する嵌合溝である。
【００１６】
図３はファスナ１を示す斜視図で、１１１は縦向き部材１１に設けられ、壁面Ｃに埋設されたアンカーボルト４に挿通されるアンカー孔、１２１は水平部材１２の上面に設けられ、取り付けボルト５に挿通される長孔のボルト孔である。縦向き部材１１、水平部材１２はいずれも板材を折り線で９０度折り曲げたアングル材で、重ね合わせて溶接により接合されている。縦向き部材１１、水平部材１２がいずれもアングル材のためリブ効果があり、プレス加工によらない構造であるから水平部材１２を長くすることが容易であり、例えば水平部材１２の長さを　１１０ｍｍとすればパネル貼り厚　１５０ｍｍ程度の設計ができ、パネル貼り厚　３００ｍｍ程度までの施工が可能となる。またボルト孔１２１の長孔の長さを５０ｍｍとして出入りの調整代±２０ｍｍ程度まで大きくとることも簡単にできる。
【００１７】
図４は実施例における隣接する上下パネル３ａ、３ｂを若干離した状態で示す壁面の縦断面斜視図である。この図により本発明のパネルの取り付け構造の特徴部分を説明する。下方のパネル３ａの上縁金物３１ｂの上側フランジには長孔のボルト孔３１１が設けられており、このフランジを前記のファスナ１の水平部材１２に載せ、両者のボルト孔３１１、１２１に取り付けボルト５を挿通してパネル３ａを壁面に取り付ける。ボルト孔３１１は壁面に平行な長孔、ボルト孔１２１はこれと直角な長孔であるから、パネルの左右方向および出入り方向の調整ができる。
【００１８】
またパネル３ａの上縁金物３１ｂの上面に形成された落下溝３６内には帯状のスライド支持材３３が収納され、止めねじ３４により上昇位置で固定されている。止めねじ３４は、取り付け位置がせまいため通常の六角ボルトではなく、頭のないねじ部のみのボルトで、端部にマイナスドライバあるいは棒スパナをかける直線状のすり割りあるいは六角孔を設けてある。
【００１９】
一方、上方にあるパネル３ｂの下縁金物３１ａ下面には、下向きに開口する嵌合溝３７が形成されている。そこで嵌合溝３７がスライド支持材３３に嵌合するようにパネル３ａの上にパネル３ｂを吊り下ろし、上下のパネル３ａ、３ｂをかみ合わせる。パネル３ｂの上部を前記手順によりさらに上方のファスナに固定し、以下この作業を繰り返して行けば壁面全体にパネルを取り付けることができる。スライド支持材３３と嵌合溝３７とのかみ合いによって、隣接する上下パネルの外面は面一（つらいち）となるから、１か所のファスナについて、取り付けボルト５の１本で上下パネルの出入りの調整を行うことができる。
【００２０】
なお３１２はパネル本体に縁金物を固定するリベットである。図８、９に示した従来のもと比較すると、本発明ではパネル周囲のシールゴムを取り付ける型材とパネル補強のための縁金物とを一体化したため、取り付けリベットの本数がおよそ半減されている。
つぎに、施工中のトラブルその他で特定の１枚のパネルを交換しなければならなくなった場合について説明する。図５において、パネル３ｃを取り外す場合、止めねじ３４をゆるめてスライド支持材３３を落下溝３６の中へ落下させ、生じた隙間からスパナを入れて取り付けボルト５をゆるめ、下方のパネルとかみ合っている下方の嵌合溝３７が離れるまで引き上げてやれば、パネル３ｃを取り外すことができる。上方のパネルはその上部でファスナにより支持されているから影響はない。
【００２１】
つぎに新しいパネルを取り付けるわけであるが、図６（ａ）に示すように、新しいパネル３ｄにおいては、スライド支持材３３は薄いフィルムＦを挿入した上に載せて落下溝３６内に収納してある。またファスナ１の水平部材１２のボルト孔の下面には、ガムテープＧで仮押さえしてナットを取り付けておく。パネル３ｄ下部を下側のパネルに載せ、上部をファスナ１に接近させて取り付けボルト５を挿入し、前記ナットにねじ込んでおいて（ｂ）に示すように正規の位置まで押し込み、位置決めして取り付けボルト５を締めつけ、次いで前記のフィルムＦの先端を矢印のように引くとスライド支持材３３が引き上げられるから、正規の高さまで上昇し上方のパネルの嵌合溝３７に嵌合したところで止めねじ３４をねじ込んで固定すれば交換作業は完了する。
【００２２】
以上説明したように、本発明の取り付け構造はきわめて簡単であり、ファスナはプレス加工の必要がなく任意に大型化できる。
本発明によれば、
１）中間位置のパネルも単独に取り外しできる。
２）１か所のファスナについて、上下パネルの出入り調整を取り付けボルト１本で行うことができるので、作業が効率的である。
３）パネル貼り厚や出入りの調整代を大きくできる。
などのすぐれた効果がある。
【００２３】
なお、止水性能については、左右方向の隙間の止水性はこれまでのものと同等である。上下方向の隙間についてはシールゴム３５とスライド支持材３３との二重構造となる。
【００２４】
【発明の効果】
本発明によれば、パネルの壁面への取り付け構造が簡略化され、作業が効率的になるという、すぐれた効果を奏する。
【図面の簡単な説明】
【図１】本発明の実施例のパネルの取り付け構造を示す壁面の部分縦断面図である。
【図２】本発明の実施例のパネルの取り付け構造を示す壁面の部分水平断面図である。
【図３】本発明の実施例のファスナを示す斜視図である。
【図４】本発明の実施例のパネルの取り付け作業を説明する壁面の部分縦断面斜視図である。
【図５】本発明の実施例のパネルの取り外し作業を説明する壁面の部分縦断面斜視図である。
【図６】本発明の実施例のパネルの再取り付け作業を説明する壁面の部分縦断面斜視図である。
【図７】本発明に係わるパネルの取り付け構造を示す壁面の部分斜視図である。
【図８】従来の技術におけるパネルの取り付け構造を示す壁面の部分縦断面図である。
【図９】従来の技術におけるパネルの取り付け構造を示す壁面の部分水平断面図である。
【図１０】従来の技術におけるファスナを分解して示す斜視図である。
【図１１】従来の技術におけるファスナを組み立てた状態で示す斜視図である。
【図１２】従来の技術におけるパネルの取り付け作業を示す壁面の部分縦断面図である。
【符号の説明】
１、２　　ファスナ
３　　パネル
４　　アンカーボルト
５　　取り付けボルト
１１　　縦向き部材
１２　　水平部材
２１　　チャンネル
２２　　下スライドプレート
２３　　上スライドプレート
３１　　縁金物
３２　　ピン
３３　　スライド支持材
３４　　止めねじ
３５　　シールゴム
３６　　落下溝
３７　　嵌合溝
１１１、２１１　　アンカー孔
１２１、２１３、２２２、２３２、３１１　　ボルト孔
２１２　ボルト用長孔
２２１　切り欠き
２３１　　長孔
３１２　リベット
Ｃ　　壁面
Ｆ　　フィルム
Ｇ　　ガムテープ
【図１】
2004003128.tif 000003
【図２】
2004003128.tif 000004
【図３】
2004003128.tif 000005
【図４】
2004003128.tif 000006
【図５】
2004003128.tif 000007
【図６】
2004003128.tif 000008
【図７】
2004003128.tif 000009
【図８】
2004003128.tif 000010
【図９】
2004003128.tif 000011
【図１０】
2004003128.tif 000012
【図１１】
2004003128.tif 000013
【図１２】
2004003128.tif 000014